(57)【要約】      （修正有）【課題】使用者の頭部に安定的に固定され、操作が簡単なヘッドマウント表示装置を提供する。【解決手段】ヘッドマウント表示装置１は、ベース１１と、ヘッドバンド構造１２と、ベース１１に固定される少なくとも１つのヘッドバンド段階調整用モジュール１５とを備える。ベース１１は、少なくとも１つのウィンドウ及び前記少なくとも１つのウィンドウに対応されると共にベース１１内に設置される少なくとも１つのディスプレーモジュール１４を含み、ヘッドバンド構造１２はヘッドバンド歯部からなり、且つ前記少なくとも１つのヘッドバンド段階調整用モジュールはヘッドバンド歯部に歯合されるヘッドバンド調整用歯車構造で構成される。ヘッドバンド構造１２の一端はヘッドバンド調整用歯車構造の回転に応じて段階的に移動し、ヘッドバンド構造１２がベース１１内に進入する長さを改変させる。【選択図】図１
0003200768.tif 000002
【実用新案登録請求の範囲】
【請求項１】
少なくとも１つのディスプレーモジュールが内設され、且つ前記少なくとも１つのディスプレーモジュールに対応されると共に使用者が前記少なくとも１つのディスプレーモジュールに表示される映像を観察するための少なくとも１つのウィンドウからなるベースと、
前記ベースと共に前記使用者の頭部を包囲させるヘッドバンド構造と、
前記ヘッドバンド構造を挿通させ、且つ前記使用者の操作により未挿通の前記ヘッドバンド構造の長さを段階的に調整させ、前記ヘッドマウント表示装置を前記使用者の前記頭部に固定させるための少なくとも１つのヘッドバンド段階調整用モジュールとを備えることを特徴とするヘッドマウント表示装置。
【請求項２】
前記少なくとも１つのヘッドバンド段階調整用モジュールは、ヘッドバンド調整用歯車構造を備え、前記ヘッドバンド構造は前記ヘッドバンド調整用歯車構造に歯合されるヘッドバンド歯部を含み、前記少なくとも１つのヘッドバンド段階調整用モジュールに未挿通の前記ヘッドバンド構造の前記長さを前記ヘッドバンド調整用歯車構造の回転に合わせて改変させることを特徴とする、請求項１に記載のヘッドマウント表示装置。
【請求項３】
前記少なくとも１つのヘッドバンド段階調整用モジュールは、前記ベースの側辺に固定される固定構成及び前記固定構成内に固設されると共に前記ヘッドバンド調整用歯車構造に挿通される軸体をさらに備え、前記ヘッドバンド調整用歯車構造は前記軸体を軸心として回転することを特徴とする、請求項２に記載のヘッドマウント表示装置。
【請求項４】
前記ヘッドバンド構造は、前記軸体が挿通されるヘッドバンド溝をさらに備え、前記ヘッドバンド調整用歯車構造が作動されて回転することで前記ヘッドバンド構造の移動範囲が制限されることを特徴とする、請求項３に記載のヘッドマウント表示装置。
【請求項５】
前記ヘッドバンド調整用歯車構造は相互に重合される調整用歯車及びつまみを備え、且つ前記調整用歯車は前記ヘッドバンド歯部に歯合される調整用歯部を有し、前記つまみは使用者に作動されるつまみ部を有することを特徴とする、請求項２に記載のヘッドマウント表示装置。
【請求項６】
前記少なくとも１つのヘッドバンド段階調整用モジュールはボタン構造をさらに備え、且つ前記ボタン構造が押されていない場合、前記ヘッドバンド調整用歯車構造は作動されずに回転しないことを特徴とする、請求項２に記載のヘッドマウント表示装置。
【請求項７】
前記ボタン構造はボタン用歯部を備え、且つ前記ヘッドバンド調整用歯車構造は相互に重合される調整用歯車及びつまみを含み、前記調整用歯車は前記ヘッドバンド歯部に歯合される調整用歯部を有し、前記つまみは、前記つまみの外側に形成されると共に使用者に作動されるつまみ部及び前記つまみの内側に形成されると共に前記ボタン構造が押されていない場合は前記ボタン用歯部に歯合されるつまみ用歯部を有することを特徴とする、請求項６に記載のヘッドマウント表示装置。
【請求項８】
前記ヘッドマウント表示装置は、
前額部パッドと、
前記ベースに設置され、前記使用者に操作されることでそれに設置される前額部パッドと前記使用者の前記頭部との間隔が段階的に調整され、前記前額部パッドが前記頭部に貼着される前額部パッド段階調整用モジュールとをさらに備えることを特徴とする、請求項１に記載のヘッドマウント表示装置。
【請求項９】
前記前額部パッド段階調整用モジュールは、前記ベースに固定される固定当接構造及び前記前額部パッドを駆使して移動させる前額部パッド移動構造を備え、且つ前記固定当接構造は上部当接用歯部を有し、前記前額部パッド移動構造は前記上部当接用歯部に歯合される前額部パッド移動用歯部を有し、前記前額部パッド移動構造は前記前額部パッド移動構造に力を掛けられた場合に段階的に移動することを特徴とする、請求項８に記載のヘッドマウント表示装置。
【請求項１０】
前記ヘッドマウント表示装置は前額部パッド位置限定構造をさらに備え、且つ前記前額部パッド位置限定構造は少なくとも１つの位置限定用歯部及び前記少なくとも１つの限定歯部を駆使して同調して変位させる限界解除部を含み、前記限界解除部が力を掛けられていない場合、前記少なくとも１つの限定歯部が前記前額部パッド移動用歯部に噛合され、前記前額部パッド移動構造の移動を制限させることを特徴とする、請求項９に記載のヘッドマウント表示装置。
【請求項１１】
少なくとも１つのウィンドウ及び前記少なくとも１つのウィンドウに対応されると共に前記ベース内に設置される少なくとも１つのディスプレーモジュールで構成されるベースと、
ヘッドバンド歯部からなるヘッドバンド構造と、
前記ベースに固設されると共に前記ヘッドバンド歯部に歯合されるヘッドバンド調整用歯車構造からなる少なくとも１つのヘッドバンド段階調整用モジュールとを備え、
前記ヘッドバンド構造の一端は前記ヘッドバンド調整用歯車構造の回転に応じて段階的に移動し、前記ヘッドバンド構造が前記ベース内に進入する長さを改変させることを特徴とするヘッドマウント表示装置。
【請求項１２】
前記少なくとも１つのヘッドバンド段階調整用モジュールは、前記ベースの側辺に固定される固定構成及び前記固定構成内に固設されると共に前記ヘッドバンド調整用歯車構造に挿通される軸体をさらに備え、前記ヘッドバンド調整用歯車構造は前記軸体を軸心として回転することを特徴とする、請求項１１に記載のヘッドマウント表示装置。
【請求項１３】
前記ヘッドバンド構造は前記軸体が挿通されるヘッドバンド溝をさらに備え、前記ヘッドバンド調整用歯車構造が作動されて回転することで前記ヘッドバンド構造の移動範囲が制限されることを特徴とする、請求項１２に記載のヘッドマウント表示装置。
【請求項１４】
前記ヘッドバンド調整用歯車構造は相互に重合される調整用歯車及びつまみを備え、且つ前記調整用歯車は前記ヘッドバンド歯部に歯合される調整用歯部を有し、前記つまみは使用者に作動されるつまみ部を有することを特徴とする、請求項１１に記載のヘッドマウント表示装置。
【請求項１５】
前記少なくとも１つのヘッドバンド段階調整用モジュールはボタン構造をさらに備え、且つ前記ボタン構造が押されていない場合、前記ヘッドバンド調整用歯車構造は作動されず回転しないことを特徴とする、請求項１１に記載のヘッドマウント表示装置。
【請求項１６】
前記ボタン構造はボタン用歯部を備え、且つ前記ヘッドバンド調整用歯車構造は相互に重合される調整用歯車及びつまみを含み、前記調整用歯車は前記ヘッドバンド歯部に歯合される調整用歯部を有し、前記つまみは、前記つまみの外側に形成されると共に使用者に作動されるつまみ部及び前記つまみの内側に形成されると共に前記ボタン構造が押されていない場合は前記ボタン用歯部に歯合されるつまみ用歯部を有することを特徴とする、請求項１５に記載のヘッドマウント表示装置。
【請求項１７】
前記ヘッドマウント表示装置は、
前額部パッドと、
前記ベースに設置され、使用者に操作されることでそれに設置される前額部パッドと前記使用者の頭部との間隔を段階的に調整させ、前記前額部パッドが前記頭部に貼着される前額部パッド段階調整用モジュールとをさらに備えることを特徴とする、請求項１１に記載のヘッドマウント表示装置。
【請求項１８】
前記前額部パッド段階調整用モジュールは、前記ベースに固定される固定当接構造及び前記前額部パッドを駆使して移動させる前額部パッド移動構造を備え、且つ前記固定当接構造は上部当接用歯部を有し、前記前額部パッド移動構造は前記上部当接用歯部に歯合される前額部パッド移動用歯部を有し、前記前額部パッド移動構造は前記前額部パッド移動構造が力を掛けられた場合に段階的に移動することを特徴とする、請求項１７に記載のヘッドマウント表示装置。
【請求項１９】
前記ヘッドマウント表示装置は前額部パッド位置限定構造をさらに備え、且つ前記前額部パッド位置限定構造は少なくとも１つの位置限定用歯部及び前記少なくとも１つの限定歯部を駆使して同調して変位させる限界解除部を含み、前記限界解除部が力を掛けられていない場合、前記少なくとも１つの限定歯部が前記前額部パッド移動用歯部に噛合され、前記前額部パッド移動構造の移動を制限させることを特徴とする、請求項１８に記載のヘッドマウント表示装置。
【考案の詳細な説明】
【技術分野】
【０００１】
本考案は、ヘッドマウント表示装置に関する。
【背景技術】
【０００２】
科学技術は日進月歩で発展しており、消費者の情報の吸収やマルチメディア情報に対する需要が日増しに高まっている。通常は視聴覚により外界の情報を入手する。一般的に普及するマルチメディアプレーヤー装置は、インターネット通信装置及びパソコン装置等があり、共にＬＣＤ或いはＬＥＤ等のディスプレイ等を使用して取得した映像を表示する。但し、表示可能な映像の画素及び大きさはディスプレイの大きさ及び機能に制限され、また、視覚効果にも欠け、長時間使用すると眼精疲労を引き起こした。
【０００３】
このため、市場にはヘッドマウントディスプレイ（Head-Mounted  Display、以下HMDと略称する）が登場した。ヘッドマウントディスプレイは立体視覚表示を行う光学製品であり、両目の視差を有する立体効果の信号を、両目の前方に設置される表示部材及び光学レンズを順に経由して両目まで伝送させ、立体で大サイズの映像を発生させる。ヘッドマウントディスプレイは通常拡張現実（augmented  reality、AR）システム或いは仮想現実（virtual  reality、VR）システムに応用され、使用者の移動や入力設備として使用者のリアクションをキャプチャし、且つ使用者の頭部に被せられるヘッドマウントディスプレイに画像や文字、さらには使用者が観察している映像を表示させて、仮想現実或いは拡張現実の効果を達成させる。
【０００４】
例えば、特許文献１に開示されているヘッドマウント表示装置は、ケースと、ケース内に設置される表示部材と、調整器と、ケースに接続されるヘッドバンド及び前額部パッドとを備える。使用者は調整器によりヘッドバンドの長さを調整して、ヘッドマウントディスプレイを使用者の頭部に被せて固定させるのに適当な位置に調節させ、使用者が表示部材に表示される映像を観察しやすくする。一般的には、現在のヘッドマウントディスプレイの調整器の多くはバックル形式、差し錠形式或いはベルクロ（VELCRO）形式が主に採用されている。
【先行技術文献】
【特許文献】
【０００５】
【特許文献１】台湾特許出願公開第Ｉ４５７６０２号明細書
【考案の概要】
【考案が解決しようとする課題】
【０００６】
しかしながら、前述した従来の技術では、即ち、上述したように、ケース及び内設される表示部材は相当な重量を有するため、使用者がヘッドマウントディスプレイを被る過程で、通常は片方の手でケースを支え、もう片方の手で調整器の調整を行わせばならず、不便であった。また、現在のヘッドマウントディスプレイの前額部パッドには使用者の前額との間隔を調整するための調整構造がなく、使用者毎に頭部の大きさが違うため、前額部パッドが使用者の前額にフィットせず、不快感を与えることがあった。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、ヘッドマウント表示装置を提供することを目的とする。即ち、段階的に調整可能なヘッドバンド構造及び／或いは前額部パッドが設置されてヘッドマウント表示装置を使用者の頭部に安定的に固定させる。
【課題を解決するための手段】
【０００９】
上述した課題を解決し、上記目的を達成するための本考案は、本考案に係るヘッドマウント表示装置は、ベースと、前記ベースと共に前記使用者の頭部を包囲させるヘッドバンド構造と、少なくとも１つのヘッドバンド段階調整用モジュールとを備え、前記ベースには少なくとも１つのディスプレーモジュールが内設され、且つ前記ベースは前記少なくとも１つのディスプレーモジュールに対応されると共に使用者が前記少なくとも１つのディスプレーモジュールに表示される映像を観察するための少なくとも１つのウィンドウを含む。前記少なくとも１つのヘッドバンド段階調整用モジュールは前記ヘッドバンド構造が挿通され、且つ前記使用者が前記少なくとも１つのヘッドバンド段階調整用モジュールを操作することで未挿通の前記ヘッドバンド構造の長さが段階的に調整され、前記ヘッドマウント表示装置が前記使用者の前記頭部に固定される。
【００１０】
好ましくは、前記少なくとも１つのヘッドバンド段階調整用モジュールは、ヘッドバンド調整用歯車構造を備え、前記ヘッドバンド構造は前記ヘッドバンド調整用歯車構造に歯合されるヘッドバンド歯部を含み、前記少なくとも１つのヘッドバンド段階調整用モジュールに未挿通の前記ヘッドバンド構造の前記長さを前記ヘッドバンド調整用歯車構造の回転に合わせて改変させる。
【００１１】
好ましくは、前記少なくとも１つのヘッドバンド段階調整用モジュールは、前記ベースの側辺に固定される固定構成及び前記固定構成内に固設されると共に前記ヘッドバンド調整用歯車構造に挿通される軸体をさらに備え、前記ヘッドバンド調整用歯車構造は前記軸体を軸心として回転する。
【００１２】
好ましくは、前記ヘッドバンド構造は、前記軸体が挿通されるヘッドバンド溝をさらに備え、前記ヘッドバンド調整用歯車構造が作動されて回転することで前記ヘッドバンド構造の移動範囲が制限される。
【００１３】
好ましくは、前記ヘッドバンド調整用歯車構造は相互に重合される調整用歯車及びつまみを備え、且つ前記調整用歯車は前記ヘッドバンド歯部に歯合される調整用歯部を有し、前記つまみは使用者に作動されるつまみ部を有する。
【００１４】
好ましくは、前記少なくとも１つのヘッドバンド段階調整用モジュールはボタン構造をさらに備え、且つ前記ボタン構造が押されていない場合、前記ヘッドバンド調整用歯車構造は作動されずに回転しない。
【００１５】
好ましくは、前記ボタン構造はボタン用歯部を備え、且つ前記ヘッドバンド調整用歯車構造は相互に重合される調整用歯車及びつまみを含み、前記調整用歯車は前記ヘッドバンド歯部に歯合される調整用歯部を有し、前記つまみは、前記つまみの外側に形成されると共に使用者に作動されるつまみ部及び前記つまみの内側に形成されると共に前記ボタン構造が押されていない場合は前記ボタン用歯部に歯合されるつまみ用歯部を有する。
【００１６】
好ましくは、前記ヘッドマウント表示装置は、前額部パッド及び前額部パッド段階調整用モジュールをさらに備え、前記前額部パッド段階調整用モジュールは前記ベースに設置され、前記使用者に操作されてそれに設置される前額部パッドと前記使用者の前記頭部との間隔を段階的に調整させ、前記前額部パッドを前記頭部に貼着させる。
【００１７】
好ましくは、前記前額部パッド段階調整用モジュールは、前記ベースに固定される固定当接構造及び前記前額部パッドを駆使して移動させる前額部パッド移動構造を備え、且つ前記固定当接構造は上部当接用歯部を有し、前記前額部パッド移動構造は前記上部当接用歯部に歯合される前額部パッド移動用歯部を有する。前記前額部パッド移動構造は、力を掛けられると段階的に移動する。
【００１８】
好ましくは、前記ヘッドマウント表示装置は前額部パッド位置限定構造をさらに備え、且つ前記前額部パッド位置限定構造は少なくとも１つの位置限定用歯部及び前記少なくとも１つの限定歯部を駆使して同調して変位させる限界解除部を含み、前記限界解除部が力を掛けられていない場合、前記少なくとも１つの限定歯部が前記前額部パッド移動用歯部に噛合され、前記前額部パッド移動構造の移動を制限させる。
【００１９】
また、本考案に係る他のヘッドマウント表示装置は、ベースと、ヘッドバンド構造と、少なくとも１つのヘッドバンド段階調整用モジュールとを備え、前記ベースは、少なくとも１つのウィンドウ及び前記少なくとも１つのウィンドウに対応されると共に前記ベース内に設置される少なくとも１つのディスプレーモジュールを含む。前記ヘッドバンド構造はヘッドバンド歯部からなる。前記少なくとも１つのヘッドバンド段階調整用モジュールは前記ベースに固設され、且つ前記ヘッドバンド歯部に歯合されるヘッドバンド調整用歯車構造で構成される。前記ヘッドバンド構造の一端は前記ヘッドバンド調整用歯車構造の回転に応じて段階的に移動して、前記ヘッドバンド構造の前記ベース内に進入する長さを改変させる。
【００２０】
好ましくは、前記少なくとも１つのヘッドバンド段階調整用モジュールは、前記ベースの側辺に固定される固定構成及び前記固定構成内に固設されると共に前記ヘッドバンド調整用歯車構造に挿通される軸体をさらに備え、前記ヘッドバンド調整用歯車構造は前記軸体を軸心として回転する。
【００２１】
好ましくは、前記ヘッドバンド構造は、前記軸体が挿通されるヘッドバンド溝をさらに備え、前記ヘッドバンド調整用歯車構造が作動されて回転することで前記ヘッドバンド構造の移動範囲が制限される。
【００２２】
好ましくは、前記ヘッドバンド調整用歯車構造は相互に重合される調整用歯車及びつまみを備え、且つ前記調整用歯車は前記ヘッドバンド歯部に歯合される調整用歯部を有し、前記つまみは使用者に作動されるつまみ部を有する。
【００２３】
好ましくは、前記少なくとも１つのヘッドバンド段階調整用モジュールはボタン構造をさらに備え、且つ前記ボタン構造が押されていない場合、前記ヘッドバンド調整用歯車構造は作動されずに回転しない。
【００２４】
好ましくは、前記ボタン構造はボタン用歯部を備え、且つ前記ヘッドバンド調整用歯車構造は相互に重合される調整用歯車及びつまみを含み、前記調整用歯車は前記ヘッドバンド歯部に歯合される調整用歯部を有し、前記つまみは、前記つまみの外側に形成されると共に使用者に作動されるつまみ部及び前記つまみの内側に形成されると共に前記ボタン構造が押されていない場合は前記ボタン用歯部に歯合されるつまみ用歯部を有する。
【００２５】
好ましくは、前記ヘッドマウント表示装置は前額部パッド及び前額部パッド段階調整用モジュールをさらに備え、前記前額部パッド段階調整用モジュールは前記ベースに設置され、使用者に操作されてそれに設置される前額部パッドと前記使用者の頭部との間隔を段階的に調整させ、前記前額部パッドを前記頭部に貼着させる。
【００２６】
好ましくは、前記前額部パッド段階調整用モジュールは、前記ベースに固定される固定当接構造及び前記前額部パッドを駆使して移動させる前額部パッド移動構造を備え、且つ前記固定当接構造は上部当接用歯部を有し、前記前額部パッド移動構造は前記上部当接用歯部に歯合される前額部パッド移動用歯部を有する。前記前額部パッド移動構造は、力を掛けられると段階的に移動する。
【００２７】
好ましくは、前記ヘッドマウント表示装置は前額部パッド位置限定構造をさらに備え、且つ前記前額部パッド位置限定構造は少なくとも１つの位置限定用歯部及び前記少なくとも１つの限定歯部を駆使して同調して変位させる限界解除部を含み、前記限界解除部が力を掛けられていない場合、前記少なくとも１つの限定歯部が前記前額部パッド移動用歯部に噛合され、前記前額部パッド移動構造の移動を制限させる。
【考案の効果】
【００２８】
使用時には、まず使用者は頭部に被せて、左右の手でベースの左右両側をそれぞれ支持させ、同時に、使用者は左右の手の親指でヘッドバンド構造を頭部の大きさに合う状態まで段階的に調整させ、ヘッドマウント表示装置を使用者の頭部に固定させる。このように、本考案により、現在のヘッドマウント表示装置では被る際に片方の手でケースを支え、もう片方の手でヘッドバンド構造の調整を行わねばならないという不便を解消する。このほか、本考案によれば、ヘッドマウント表示装置に前額部パッドを段階的に調整させるための前額部パッド段階調整用モジュールが増設され、前額部パッドを使用者の前額に貼着させ、使用者に快適感を与える。
【図面の簡単な説明】
【００２９】
【図１】本考案の一実施形態に係るヘッドマウント表示装置を示す外観構成の斜視図である。
【図２】図１に示すヘッドマウント表示装置を他の角度から見た外観構成の斜視図である。
【図３】図１に示すヘッドマウント表示装置のヘッドバンド段階調整用モジュール及びヘッドバンド構造の部分構成の概念図である。
【図４】図３に示すヘッドバンド段階調整用モジュールのボタン構造及びヘッドバンド構造の部分構成の概念図である。
【図５】図４に示すヘッドバンド段階調整用モジュールのボタン構造及びヘッドバンド構造を示す展開図である。
【図６】図４に示すヘッドバンド段階調整用モジュールのボタン構造及びヘッドバンド構造を他の角度から見た展開図である。
【図７】図１に示すヘッドマウント表示装置の前額部パッド段階調整用モジュール構成を示す概念図である。
【図８】図７に示す前額部パッド段階調整用モジュールを他の角度から見た構成示す概念図である。
【図９】図７に示す前額部パッド段階調整用モジュールの部分構成を示す概念図である。
【図１０】図９に示す固定当接構造及び前額部パッド位置限定構造の動作関係図である。
【考案を実施するための形態】
【００３０】
本考案における好適な実施の形態について、添付図面を参照して説明する。尚、以下に説明する実施の形態は、特許請求の範囲に記載された本考案の内容を限定するものではない。また、以下に説明される構成の全てが、本考案の必須要件であるとは限らない。
【００３１】
まず、以下、本考案のヘッドマウント表示装置を図１〜６に基づいて説明する。図１は本考案の好ましい実施形態に係るヘッドマウント表示装置を示す外観構成の斜視図であり、図２は図１に示すヘッドマウント表示装置を他の角度から見た外観構成の斜視図である。なお、図３は図１に示すヘッドマウント表示装置のヘッドバンド段階調整用モジュール及びヘッドバンド構造の部分構成の概念図であり、図４は図３に示すヘッドバンド段階調整用モジュールのボタン構造及びヘッドバンド構造の部分構成の概念図であり、図５は図４に示すヘッドバンド段階調整用モジュールのボタン構造及びヘッドバンド構造を示す展開図であり、図６は図４に示すヘッドバンド段階調整用モジュールのボタン構造及びヘッドバンド構造を他の角度から見た展開図である。
【００３２】
ヘッドマウント表示装置１は、ベース１１と、ヘッドバンド構造１２と、ベース１１の上方に設置される前額部パッド１３と、ベース１１に内設されるディスプレーモジュール１４と、ベース１１の二側辺に位置されるヘッドバンド段階調整用モジュール１５とを備える。ベース１１は２つのディスプレーモジュール１４に対応される２つのウィンドウ１１１を有し、使用者はベース１１のウィンドウ１１１からディスプレーモジュール１４に表示される映像を観察する。ディスプレーモジュール１４に映像を表示する技術に関しては、本技術分野に習熟する技術者ならば熟知するものであるため、詳述は省く。
【００３３】
続いて、使用者がヘッドマウント表示装置１を被ると、ベース１１及びヘッドバンド構造１２が共に使用者の頭部を包囲させる。また、好ましい本実施形態によると、ヘッドバンド構造１２の二端はベース１１の両側の２つのヘッドバンド段階調整用モジュール１５にそれぞれ挿通されると共にベース１１内に進入し、使用者はヘッドバンド段階調整用モジュール１５によりヘッドバンド構造１２を段階的に調整させて、ヘッドマウント表示装置１を使用者の頭部に固定させる。
【００３４】
詳しくは、好ましい本実施形態によれば、ヘッドバンド段階調整用モジュール１５は、ヘッドバンド調整用歯車構造１５１と、ベース１１の側辺に固定される固定構成１５２と、ヘッドバンド調整用歯車構造１５１に挿通されると共に固定構成１５２に固設される軸体１５３とを備える。ヘッドバンド構造１２は軸体１５３が挿通されるヘッドバンド溝１２１及びヘッドバンド溝１２１の上方に位置されるヘッドバンド歯部１２２を含む。ヘッドバンド調整用歯車構造１５１は互いに重合されると共に軸体１５３を軸心として回転する調整用歯車１５１１及びつまみ１５１２で構成される。つまみ１５１２は調整用歯車１５１１より大きく、且つつまみ１５１２の外側に形成されると共に固定構成１５２の外に一部が露出されて使用者により作動されるつまみ部１５１２１を有し、調整用歯車１５１１はヘッドバンド構造１２のヘッドバンド歯部１２２に歯合される調整用歯部１５１１１を有する。これにより、使用者がつまみ部１５１２１を作動させてつまみ１５１２及び調整用歯車１５１１を共に軸体１５３を軸心として回転させると、ヘッドバンド構造１２はヘッドバンド歯部１２２と調整用歯車１５１１の調整用歯部１５１１１とが噛合し合うことで同調して連動され、段階的に移動する。また、各段階の移動距離は調整用歯部１５１１１の歯の距離及び／或いはヘッドバンド歯部１２２の歯の距離により決まる。このほか、ヘッドバンド溝１２１によりヘッドバンド構造１２の移動範囲が制限される。
【００３５】
より具体的には、使用者がヘッドマウント表示装置１を頭部に被る際に、ヘッドバンド構造１２のベース１１の外に露出される部分が長過ぎてヘッドマウント表示装置１が頭部に固定できない場合、つまみ部１５１２１を作動させてつまみ１５１２を方向Ｄ１に向けて回転させ、ヘッドバンド構造１２の一端をベース１１にさらに進入させる（即ち、ヘッドバンド構造１２のベース１１に進入する長さを増加させる）。これにより、ヘッドバンド段階調整用モジュール１５に未挿通なヘッドバンド構造１２の長さを、ヘッドマウント表示装置１が使用者の頭部にしっかりと固定されるまで段階的に縮小させる。反対に、使用者がヘッドマウント表示装置１を頭部に被る際に、ヘッドバンド構造１２のベース１１の外に露出される部分が短過ぎてヘッドマウント表示装置１を頭部に被せられない場合、つまみ部１５１２１を作動させてつまみ１５１２を方向Ｄ２に向けて回転させ、ヘッドバンド構造１２の一端をベース１１の外に向けて移動させる（即ち、ヘッドバンド構造１２のベース１１内に納まっている長さを減少させる）。これにより、ヘッドバンド段階調整用モジュール１５に未挿通なヘッドバンド構造１２の長さを、ヘッドマウント表示装置１が使用者の頭部にしっかりと被せられるまで段階的に増加させる。
【００３６】
好ましくは、制限するわけではないが、ヘッドバンド段階調整用モジュール１５はボタン構造１５４をさらに備え、使用者がヘッドバンド段階調整用モジュール１５によりヘッドバンド構造１２の調整を行う場合、ボタン構造１５４を必ず押すようにすることで、つまみ１５１２が誤って接触されて調整済みのヘッドバンド構造１２が移動してしまうのを回避させる。
【００３７】
詳しくは、好ましい本実施形態において、ボタン構造１５４はボタン用歯部１５４１を備え、且つつまみ１５１２はつまみ１５１２の内側に形成されると共にボタン構造１５４が押されていない場合にボタン用歯部１５４１に歯合されるつまみ用歯部１５１２２をさらに有する。ボタン構造１５４と固定構成１５２との間にはヘッドバンド調整用弾性体１５５が設置され、使用者によりヘッドバンド調整用弾性体１５５の弾性力より大きい押圧力がボタン構造１５４に掛けられると、ボタン構造１５４のボタン用歯部１５４１が下に向けて移動してつまみ１５１２のつまみ用歯部１５１２２から離れる。この際、ボタン用歯部１５４１がつまみ用歯部１５１２２に噛合されないため、つまみ１５１２が使用者に作動されると回転し、ヘッドバンド構造１２が移動する。使用者がボタン構造１５４の押圧を止めるとボタン構造１５４がヘッドバンド調整用弾性体１５５の弾性力により元の位置に復位し、ボタン用歯部１５４１が上に向けて移動して元の位置に復位してつまみ用歯部１５１２２に噛合され、これにより、つまみ１５１２が作動せず回転しなくなる。
【００３８】
以下、本考案のヘッドマウント表示装置を図７〜１０に基づいて説明する。図７は図１に示すヘッドマウント表示装置の前額部パッド段階調整用モジュール構成を示す概念図である。図８は図７に示す前額部パッド段階調整用モジュールを他の角度から見た構成示す概念図である。図９は図７に示す前額部パッド段階調整用モジュールの部分構成を示す概念図である。図１０は図９に示す固定当接構造及び前額部パッド位置限定構造の動作関係図である。
【００３９】
好ましい本実施形態では、ヘッドマウント表示装置１はベース１１に設置されると共に使用者に操作されて前額部パッド１３と使用者の頭部との間隔を段階的に調整させ、前額部パッド１３を使用者の頭部に貼着させるための前額部パッド段階調整用モジュール１６をさらに備える。
【００４０】
詳しくは、前額部パッド段階調整用モジュール１６は、前額部パッド１３が設置される前額部パッド移動構造１６１と、ベース１１に固定される固定当接構造１６２と、固定用カバー１６３とを備える。固定当接構造１６２は前額部パッド移動構造１６１の下方の凹型溝に位置され、前額部パッド移動構造１６１の一部はベース１１と固定用カバー１６３との間の空間に位置が限定され、これにより、前額部パッド移動構造１６１が移動過程で外に向けて脱落するのを防ぐ。前額部パッド移動構造１６１の下方の凹型溝の側壁には前額部パッド移動用歯部１６１１が形成され、固定当接構造１６２は前額部パッド移動用歯部１６１１に向けて延伸されて前額部パッド移動用歯部１６１１に歯合される上部当接用歯部１６２１を有する。
【００４１】
さらに、使用者がヘッドマウント表示装置１を頭部に被った際に、前額部パッド１３の位置が不適切で前額部パッド１３が使用者の頭部時に貼着されない場合、前額部パッド移動構造１６１に力を掛けて前額部パッド１３が適当な位置に来るまで前或いは後に向けて段階的に移動させる。前額部パッド移動構造１６１に掛けられる力量は上部当接用歯部１６２１と前額部パッド移動用歯部１６１１との間の摩擦力よりも強くする必要があり、及び／或いは上部当接用歯部１６２１或いは前額部パッド移動用歯部１６１１の内の少なくとも１つが変形することで前額部パッド移動構造１６１が段階的に移動し、且つ各段階的な移動距離は上部当接用歯部１６２１の歯の距離及び／或いは前額部パッド移動用歯部１６１１の歯の距離により決定される。
【００４２】
好ましくは、制限するわけではないが、ヘッドマウント表示装置１は前額部パッド位置限定構造１７をさらに備える。使用者が前額部パッド段階調整用モジュール１６により前額部パッド１３と使用者の頭部との間隔を調整する場合、前額部パッド位置限定構造１７の前額部パッド移動構造１６１に対する位置限定状態を解除してから行う。これにより、前額部パッド移動構造１６１が誤って接触されるのを防ぐ。
【００４３】
詳しくは、好ましい本実施形態によると、前額部パッド位置限定構造１７は第一位置限定用歯部１７１と、第二限定歯部１７２と、Ｔ字型を呈する凹部１７３と、使用者の方向に延伸される限界解除部１７４とを備える。前額部パッド位置限定構造１７とベース１１との間には前額部パッド調整用弾性体１７５が設置される。使用者が前額部パッド調整用弾性体１７５の弾性力より大きい押圧力を限界解除部１７４に掛けていない場合、前額部パッド移動構造１６１の前額部パッド移動用歯部１６１１及び固定当接構造１６２の上部当接用歯部１６２１が凹部１７３の縦方向溝１７３１及び横方向溝１７３２内にそれぞれ位置され、且つ第一限定歯部１７１、第二限定歯部１７２及び上部当接用歯部１６２１は並列状態を呈し（図９参照）、これにより、共に前額部パッド移動用歯部１６１１に噛合される。この際、前額部パッド移動用歯部１６１１がより多くの歯部に噛合されるため、前額部パッド１３に力を掛けられても移動し難くなる。
【００４４】
使用者が前額部パッド調整用弾性体１７５の弾性力より大きい押圧力を限界解除部１７４に掛けて前額部パッド位置限定構造１７を下に向けて移動させると、図１０に示すように、第一限定歯部１７１及び第二限定歯部１７２が前額部パッド移動構造１６１の前額部パッド移動用歯部１６１１から離れる。この際、第一限定歯部１７１及び第二限定歯部１７２が前額部パッド移動構造１６１の前額部パッド移動用歯部１６１１に噛合されず、即ち、前額部パッド移動用歯部１６１１が固定当接構造１６２の上部当接用歯部１６２１にのみ噛合される。このため、前額部パッド移動構造１６１は使用者に力を掛けられると段階的に移動する。
【００４５】
ちなみに、使用者がヘッドマウント表示装置１を被る過程では、先ずヘッドマウント表示装置１を頭部に被せ、左右の手でベース１１の左右両側をそれぞれ支持させ、同時に、左右の手の親指で２つのヘッドバンド段階調整用モジュール１５の２つのつまみ１５１２をそれぞれ作動させる。これにより、ヘッドバンドを頭部の大きさに合う状態まで段階的に調整させて、ヘッドマウント表示装置１を使用者の頭部に固定させる。よって、本考案は、現在のヘッドマウント表示装置では被る際に片方の手でケースを支え、もう片方の手でヘッドバンド構造に対して調整を行わねばならないという不便を解消する。このほか、本考案では、ヘッドマウント表示装置１に前額部パッド１３を段階的に調整させるための前額部パッド段階調整用モジュール１６が増設されることで、前額部パッド１３が使用者の前額にさらに貼着され、使用者に快適感を与える。
【００４６】
しかしながら、上述は実施の例に過ぎず、本技術分野で通常知識を有する技術者ならば、実際の需要に応じて均しく設計を変更可能である。例えば、実際の需要に応じて、前額部パッド位置限定構造１７の凹部１７３の形状や前額部パッド位置限定構造１７の位置限定用歯部の数量等の設計を変更可能である。或いは、実際の需要に応じて前額部パッド位置限定構造１７やボタン構造１５４を任意で設置させてもよい。または、実際の需要に応じて設置されるヘッドバンド段階調整用モジュール１５の数量を変更したり、ヘッドマウント表示装置に単一のヘッドバンド段階調整用モジュールをベースの側辺に設置する等の例が挙げられる。
【００４７】
以上、本考案の実施形態について図面を参照して詳述したが、具体的な構成はこの実施形態に限られるものではなく、本考案の要旨を逸脱しない範囲の設計改変等も含まれる。
【符号の説明】
【００４８】
１  ヘッドマウント表示装置
１１  ベース
１２  ヘッドバンド構造
１３  前額部パッド
１４  ディスプレーモジュール
１５  ヘッドバンド段階調整用モジュール
１６  前額部パッド段階調整用モジュール
１７  前額部パッド位置限定構造
１１１  窓部
１２１  ヘッドバンド溝
１２２  ヘッドバンド歯部
１５１  ヘッドバンド調整用歯車構造
１５２  固定構成
１５３  軸体
１５４  ボタン構造
１５５  ヘッドバンド調整用弾性体
１６１  前額部パッド移動構造
１６２  固定当接構造
１６３  固定用カバー
１７１  第一限定歯部
１７２  第二限定歯部
１７３  凹部
１７４  限界解除部
１７５  前額部パッド調整用弾性体
１５１１  調整用歯車
１５１２  つまみ
１５４１  ボタン用歯部
１６１１  前額部パッド移動用歯部
１６２１  上部当接用歯部
１７３１  縦方向溝
１７３２  横方向溝
１５１１１  調整用歯部
１５１２１  つまみ部
１５１２２  つまみ用歯部
Ｄ１  方向
Ｄ２  方向
【図１】
0003200768.tif 000003
【図２】
0003200768.tif 000004
【図３】
0003200768.tif 000005
【図４】
0003200768.tif 000006
【図５】
0003200768.tif 000007
【図６】
0003200768.tif 000008
【図７】
0003200768.tif 000009
【図８】
0003200768.tif 000010
【図９】
0003200768.tif 000011
【図１０】
0003200768.tif 000012